(57)【要約】【課題】艶ムラを抑制可能な成形型および成形方法を提供する。【解決手段】成形型１００は、相対的に近接離間自在な第１の型１１０および第２の型１２０を有する。第１の型は、微細な凹凸１１３が表面に形成されたシボ１１２を含む第１成形面１１１を有し、第２の型は、近接した第１成形面との間に空洞１０１を形作る第２成形面１２１を有している。第２成形面のうち、第１の型と第２の型とが閉じた状態でシボと対向する少なくとも一部には、微細な凹凸１２２が形成されている。【選択図】図２
2020121409.tif 000002
【特許請求の範囲】
【請求項１】
相対的に近接離間自在な第１の型および第２の型を有する成形型であって、
微細な凹凸が表面に形成されたシボを含む第１成形面を、前記第１の型が有するとともに、
近接した前記第１成形面との間に空洞を形作る第２成形面を、前記第２の型が有しており、
前記第２成形面のうち、前記第１の型と前記第２の型とが閉じた状態で前記シボと対向する少なくとも一部に、微細な凹凸が形成されている、成形型。
【請求項２】
前記空洞には、前記第１成形面と前記第２成形面との間の隙間が他の一般部分に比べて広い拡大部があるとともに、前記一般部分から前記拡大部へと前記隙間が広がるように変化している除変部があり、
当該除変部において、前記第２成形面に前記微細な凹凸が形成されている、請求項１に記載の成形型。
【請求項３】
前記空洞には、前記第１成形面と前記第２成形面との間の隙間が他の一般部分に比べて広い拡大部があるとともに、前記一般部分から前記拡大部へと前記隙間が広がるように変化している除変部があり、
前記一般部分のうち前記除変部に隣接する箇所において、前記第２成形面に前記微細な凹凸が形成されている、請求項１または請求項２に記載の成形型。
【請求項４】
前記空洞には、前記第１成形面と前記第２成形面との間の隙間が他の一般部分に比べて広い拡大部があり、
当該拡大部において、前記第２成形面に前記微細な凹凸が形成されている、請求項１〜請求項３のうちのいずれか１つに記載の成形型。
【請求項５】
前記第２成形面の微細な凹凸は、前記シボの表面の微細な凹凸に含まれる凹部よりも、深い凹部を含んでいる、請求項１〜請求項４のうちのいずれか１つに記載の成形型。
【請求項６】
シボが形成された第１成形面を有する第１の型と、前記シボに対向する微細な凹凸が少なくとも一部に形成された第２成形面を有する第２の型とを近接させて閉じ、
前記第１成形面と前記第２成形面との間に形成される空洞内に樹脂を射出し、
前記空洞内の樹脂に圧力を加え、
前記シボの表面に形成されている微細な凹凸に、前記樹脂を充填する、成形方法。
【発明の詳細な説明】
【技術分野】
【０００１】
本発明は、成形型および成形方法に関する。
【背景技術】
【０００２】
従来、インストルメントパネル等の自動車の内装材では、表面にシボを有する樹脂成形品が用いられており、近年では高級感演出への要望が高まっている。高級感をどのように演出するかは様々であり、例えば低グロス化を図ったり、表面の艶ムラを防止したりすることが考えられる。
【０００３】
艶ムラに対する一般的な対策の１つとしては、タッチアップ塗装があるが、タッチアップ塗装の工程追加によってコストが増加するだけでなく、塗装によってシボが埋まってしまうことがある。このため、タッチアップ塗装によっては、シボ本来の機能を生かし切れないという難点がある。
【０００４】
一方で、タッチアップ塗装以外にも、例えば特許文献１〜特許文献３のように、樹脂成形品の成形性や表面品質改善を図っている従来技術がある。
【先行技術文献】
【特許文献】
【０００５】
【特許文献１】特開平６−１４３３４７号公報
【特許文献２】特開２００４−０５８９５３号公報
【特許文献３】特開２００３−１９３０２７号公報
【発明の概要】
【発明が解決しようとする課題】
【０００６】
しかしながら本発明者らが鋭意検討したところ、艶ムラは、金型内に充填される樹脂の表面に析出するオイルが一因であることが突き止められ、そのような要因を解消するものではない上記従来技術は、無塗装化に繋がるような抜本的な解決策になり難い。
【０００７】
例えば、上記特許文献１は、金型における樹脂の導入部であるフィルムゲートの隙間の大きさを、樹脂の流入方向上流側から下流側にかけて変化させることによって、デフォーム等の成形不良を防止しているが、上述のようなオイル析出に起因した艶ムラに対しては効果がない。また、フィルムゲートの隙間の大きさが変化する部分をある程度長くする必要があるため、駄肉の増加に繋がる。
【０００８】
また、上記特許文献２は、金型内の空洞に射出される樹脂の流れが乱れるのに起因して艶ムラが生じることに着目し、その流れを金型内に設けた格子状の構造によって制御することを開示しているが、オイルの析出という、樹脂の流れとは別の要因によって生じる艶ムラに対しては効果がない。
【０００９】
また、上記特許文献３は、特殊なシリカゲルからなる艶消し剤を、樹脂成形品の原料である樹脂に添加して、あるいは艶消し剤を含む塗料を樹脂成形品の表面にコーティングして、光沢の抑えられた艶の無い仕上がりにすることを開示しているが、艶ムラの発生要因自体を解消する訳ではない。また、艶消し剤自体のコストや、その添加作業またはコーティング作業にともなうコストがかかるとともに、例えば溶剤への引火防止等、安全対策の必要性も生じる。
【００１０】
以上のように、従来技術は、艶ムラに対する抜本的な解決策であるとは言い難いのが現状であった。
【００１１】
そこで、本発明は、本発明者らの鋭意検討の結果得られた新たな知見に基づき、艶ムラを抑制可能な成形型および成形方法を提供することを目的とする。
【課題を解決するための手段】
【００１２】
上記目的を達成するための本発明の成形型は、相対的に近接離間自在な第１の型および第２の型を有する。第１の型は、微細な凹凸が表面に形成されたシボを含む第１成形面を有し、第２の型は、近接した第１成形面との間に空洞を形作る第２成形面を有している。第２成形面のうち、第１の型と第２の型とが閉じた状態でシボと対向する少なくとも一部には、微細な凹凸が形成されている。
【００１３】
上記目的を達成するための本発明の成形方法は、シボが形成された第１成形面を有する第１の型と、シボに対向する微細な凹凸が少なくとも一部に形成された第２成形面を有する第２の型とを近接させて閉じる。また、本発明の成形方法は、第１成形面と第２成形面との間に形成される空洞内に樹脂を射出し、空洞内の樹脂に圧力を加える。そして、本発明の成形方法は、シボの表面に形成されている微細な凹凸に、樹脂を充填する。
【発明の効果】
【００１４】
上記構成を有する成形型および成形方法によれば、艶ムラを抑制できる。
【図面の簡単な説明】
【００１５】
【図１】実施形態の金型を示す図である。
【図２】実施形態の金型の要部を拡大して示す図である。
【図３】実施形態の成形方法のフローチャートである。
【図４】比較例の金型内への樹脂の射出を示す図である。
【図５】比較例の金型内に樹脂が充填された状態を示す図である。
【図６】比較例の金型内の圧力変化を示すグラフである。
【図７】樹脂に含まれるゴムに均一に圧が作用した状態を模式的に示す図である。
【図８】樹脂に含まれるゴムに不均一に圧が作用した状態を模式的に示す図である。
【図９】オイルが析出していない樹脂表面の画像である。
【図１０】オイルが析出した樹脂表面の画像である。
【図１１】実施形態の金型内に樹脂が充填された状態を示す図である。
【図１２】比較例の樹脂成形品表面における光の反射を模式的に示す図である。
【図１３】実施形態の樹脂成形品表面における光の反射を模式的に示す図である。
【図１４】比較例に準じた樹脂成形品の表面の画像である。
【図１５】実施形態に準じた樹脂成形品の表面の画像である。
【図１６】実施例の樹脂成形品の斜視図である。
【図１７】コア側に樹脂成形品を残して型開きする金型を閉じた状態で示す模式図である。
【図１８】図１７の金型の型開きを示す模式図である。
【図１９】キャビティ側に樹脂成形品を残して型開きする金型を閉じた状態で示す模式図である。
【図２０】図１９の金型の型開きを示す模式図である。
【図２１】図１６の２１−２１線に沿う断面図である。
【発明を実施するための形態】
【００１６】
以下、添付した図面を参照しながら、本発明の実施形態を説明する。なお、図面の寸法比率は、説明の都合上誇張されており、実際の比率とは異なる。
【００１７】
図１に示すように、実施形態の金型１００（成形型）は、相対的に近接離間自在な第１の型１１０および第２の型１２０を有する。
【００１８】
第１の型１１０および第２の型１２０のうちの一方は、例えばシリンダ等の駆動部と接続し金型１００の開閉の際に動かされる可動型であり、他方は固定された固定型であるが、これに限定されず、それらの両方を動かして金型１００を開閉してもよい。
【００１９】
第１の型１１０は、シボ１１２が形成された第１成形面１１１を有している。シボ１１２の表面には、微細な凹凸１１３が形成されている。
【００２０】
第２の型１２０は、第１成形面１１１と対向する第２成形面１２１を有している。第１の型１１０と第２の型１２０とは、閉じた状態で第１成形面１１１と第２成形面１２１との間に空洞１０１を形成する。
【００２１】
空洞１０１は、樹脂を射出するノズル（不図示）と連通する。また、空洞１０１のまわりには、第１の型１１０と第２の型１２０との間に、例えばシリコーン樹脂によって形成されたシール部材１０２が配置され、空洞１０１内に射出される樹脂の漏出を防止する。空洞１０１は、その内部を排気する例えばポンプ等と連通していてもよい。
【００２２】
空洞１０１には、第１成形面１１１と第２成形面１２１との間の隙間が他の一般部分１０３に比べて広い拡大部１０４があるとともに、一般部分１０３から拡大部１０４へと隙間が広がるように変化している除変部１０５がある。
【００２３】
一般部分１０３における隙間は、例えば０．５ｍｍ〜２．５ｍｍであるが、これに限定されない。拡大部１０４における隙間は、例えば１．５ｍｍ〜４．５ｍｍであるが、これに限定されない。一般部分１０３と拡大部１０４との離間方向における除変部１０５の幅は、例えば２０ｍｍ〜１６０ｍｍであるが、これに限定されない。
【００２４】
図２に示すように、除変部１０５においては、シボ１１２に対向して微細な凹凸１２２が第２成形面１２１に形成されている。また、一般部分１０３のうち、除変部１０５に隣接する箇所１０６においても、シボ１１２に対向して微細な凹凸１２２が第２成形面１２１に形成されている。
【００２５】
一般部分１０３と除変部１０５との隣接方向における隣接箇所１０６の幅は、例えば３０ｍｍであるが、これに限定されない。
【００２６】
微細な凹凸１２２は、微細な凹凸１１３に含まれる凹部よりも、深い凹部を含んでいる。微細な凹凸１１３に含まれる凹部の深さは、例えば、５〜３０μｍである。微細な凹凸１２２に含まれる凹部の深さは、例えば、微細な凹凸１１３に含まれる凹部の深さ以上６０μｍ以下であり、好ましくは、微細な凹凸１１３に含まれる凹部の深さの２倍程度である。
【００２７】
次に、本実施形態の成形方法を述べる。
【００２８】
図３に示すように、本実施形態の成形方法は、型締め工程Ｓ１、射出工程Ｓ２、保圧工程Ｓ３、冷却工程Ｓ４、および脱型工程Ｓ５を有する。
【００２９】
型締め工程Ｓ１では、第１の型１１０と第２の型１２０とが近接して閉じられ、その状態を保持される。
【００３０】
射出工程Ｓ２では、空洞１０１内に樹脂が射出される。このとき、樹脂は高速で流し込まれので、金型１００の破損防止のため、空洞１０１の全体積に対して例えば９０〜９５％程度の割合で樹脂は充填される。
【００３１】
保圧工程Ｓ３では、空洞１０１内の樹脂に圧力が加えられる。
【００３２】
冷却工程Ｓ４では、空洞１０１内の樹脂が冷却されて硬化する。樹脂の冷却は、例えば、金型１００の内部に設けられた循環経路に冷却水等の冷却媒体を流して行われる。
【００３３】
空洞１０１内の樹脂が硬化した後、脱型工程Ｓ５では、第１の型１１０と第２の型１２０とが離間して金型１００が開けられ、樹脂成形品が取り出される。
【００３４】
次に、本実施形態と異なる比較例について述べる。
【００３５】
図４に示すように、比較例では、上記実施形態と異なる金型１００Ａを用いて、上記実施形態と同様の工程で射出成形が行われる。
【００３６】
射出される樹脂１３０は、上記実施形態と比較例とで同様であり、ゴム１３１、およびオイル１３２を含む。樹脂１３０は、例えば２０％以上のオイル１３２を含むが、これに限定されない。また、樹脂１３０は、それら以外にも、例えばタルク等の他の添加物を含んでもよい。
【００３７】
樹脂１３０は、例えば、ポリプロピレン（ＰＰ）、ポリアミド（ＰＡ）、ポリカーボネート（ＰＣ）、ポリエチレン（ＰＥ）、ポリスチレン（ＰＳ）、アクリロニトリル−ブタジエン−スチレンプラスチック（ＡＢＳ）、エラストマー（ゴム）等の熱可塑性樹脂である。樹脂１３０は、加熱されて流動性を有する状態で射出され、例えば金型１００や金型１００Ａに備えられるヒータからの熱によって流動性を保ったまま充填される。
【００３８】
ゴム１３１は、完成した樹脂成形品において所望の質感が出るように加えられている。オイル１３２は、例えば、樹脂１３０の流動性を上げたり、完成した樹脂成形品の離型性を高めたりするために加えられている。
【００３９】
上記実施形態と比較例とで第１の型１１０は共通しているが、比較例の金型１００Ａは、上記実施形態と異なる第２の型１２０Ａを有する。第２の型１２０Ａでは、上記実施形態の微細な凹凸１２２がなく、平滑な第２成形面１２１Ａが形成されている点で、上記実施形態と異なるが、他の構成は上記実施形態の第２の型１２０と同様である。
【００４０】
射出工程Ｓ２で樹脂１３０が射出されると、平滑な第２成形面１２１Ａでは、ほぼ隙間のないスキン層が形成される。一方、第１成形面１１１では、微細な凹凸１１３までは樹脂１３０が完全に充填されず、樹脂１３０と第１の型１１０との間に隙間１１４が形成される。
【００４１】
本来、その後の保圧工程Ｓ３および冷却工程Ｓ４を経た後には、隙間１１４にも樹脂１３０が充填されているはずであるが、本発明者らが実際に実験したところ、隙間１１４に樹脂１３０が充填されず、シボ１１２の形状や微細な凹凸１１３の形状が転写されないことがあった。特に、除変部１０５およびそれに隣接する箇所１０６において、そのような事象が顕著であった。
【００４２】
これは、図５に示すように、オイル１３２が樹脂１３０の表面に析出し、シボ１１２や微細な凹凸１１３との間に介在するためであり、樹脂１３０の圧力差が生じ易い除変部１０５、およびそれに隣接する箇所１０６において、オイル１３２の析出が特に顕著になるためであると考えられる。
【００４３】
その検証のため、本発明者らは、比較例の金型１００Ａを実際に作製するとともに、４つの異なる測定位置１２３、１２４、１２５、１２６において、射出工程Ｓ２から冷却工程Ｓ４までの実際の圧力変化を測定した。
【００４４】
測定位置１２３では、除変部１０５から離間した一般部分１０３についての圧力変化が測定される。測定位置１２４では、除変部１０５に隣接する箇所１０６についての圧力変化が測定される。測定位置１２５では、除変部１０５についての圧力変化が測定される。測定位置１２６では、拡大部１０４についての圧力変化が測定される。
【００４５】
図６に示すように、射出工程Ｓ２では、測定位置１２３〜１２６で圧力差はあまり生じなかったが、保圧工程Ｓ３および冷却工程Ｓ４を経るうちに、それらの圧力差が大きくなっていった。
【００４６】
特に、圧力低下が比較的緩やかである測定位置１２３、１２４に対し、測定位置１２５、１２６では圧力が急激に低下し、測定位置１２３、１２４と、測定位置１２５、１２６との間で圧力差が大きく生じた。すなわち、一般部分１０３および隣接箇所１０６に対する、除変部１０５および拡大部１０４の圧力差が大きい。このような圧力差が、除変部１０５でオイル１３２が特に析出し易い要因であると考えられる。
【００４７】
脱型工程Ｓ５後に、実際に第１成形面１１１に付着した成分の分析を行ったところ、圧力差の生じ易い除変部１０５では、他の部分に比べて最もオイル１３２が析出していた。また、その隣接箇所１０６でも、オイル１３２が多く析出した。
【００４８】
樹脂１３０の圧力差は、冷却にともなう収縮量の違いに起因して生じ、相対的に薄肉で熱量の小さい一般部分１０３の樹脂１３０に比べ、相対的に厚肉で熱量の大きい除変部１０５および拡大部１０４の樹脂１３０では、冷却にともなう収縮量が大きくなる。この影響が隣接箇所１０６に及ぶため、隣接箇所１０６でも圧力差が大きくなり、それにともなってオイル１３２の析出量が多くなると考えられる。
【００４９】
図７に示すように、ゴム１３１に対し樹脂１３０から加わる圧力Ｐ１が均一で、圧力差の無い場合、ゴム１３１を構成している分子鎖１３３の間に入り込んでいるオイル１３２は、圧力Ｐ１で全体から均一に押圧されて、ゴム１３１の内部に留まる。
【００５０】
一方、図８に示すように、圧力差（Ｐ１＞Ｐ２）があると、オイル１３２が、相対的に小さい圧力Ｐ２のかかっている箇所からゴム１３１の外部へと出ていき、その結果、不均一な圧力状態が生じている樹脂１３０では部分的にオイル１３２が多くなるため、それにともないオイル１３２の析出量も多くなると考えられる。
【００５１】
実際、図９に示すように、均一な圧力状態ではオイル１３２の析出があまり確認できなかったのに対し、図１０に示すように、不均一な圧力状態ではオイル１３２の析出が多く確認された。
【００５２】
次に、本実施形態の作用効果を述べる。
【００５３】
図１１に示すように、本実施形態では、微細な凹凸１１３の形成されているシボ１１２に対向して、微細な凹凸１２２が形成されており、微細な凹凸１２２の側にオイル１３２を析出させるようにしている。
【００５４】
このため、シボ１１２や微細な凹凸１１３の側にオイル１３２が析出し難くなり、それらに樹脂１３０が確実に充填される。その結果、シボ１１２や微細な凹凸１１３の形状がしっかりと転写されて形作られる。
【００５５】
これと異なり、図１２に示すように、上述の比較例で作製された樹脂成形品１４０Ａでは、シボ１１２や微細な凹凸１１３の転写がオイル１３２によって妨げられて、比較的なだらかな箇所１４１Ａが製品面に部分的に形成される。このため、製品面に光Ｌ１が当たった際、微細な凹凸１１３のあるシボ１１２では、乱反射Ｌ２が生じるのに対し、乱反射Ｌ２を主として生じさせる微細な凹凸１１３のない、比較的なだらかな箇所１４１Ａでは、面反射のような反射Ｌ３が生じる。その結果、それらの反射の違いが艶ムラとして視認される。
【００５６】
一方、図１３に示すように本実施形態の樹脂成形品１４０では、微細な凹凸１１３のあるシボ１１２が、オイル１３２の析出によって妨げられることなく確実に形作られるため、光Ｌ１が当たると製品面の全体で乱反射Ｌ２が生じる。従って、艶ムラを抑制できる。
【００５７】
実際、図１４に示すように、比較例によれば、微細な凹凸のない比較的なだらかな面が形成され、これが艶ムラの要因となるのに対し、図１５に示すように、本実施形態によれば、微細な凹凸がシボ面の全体に形成されて艶ムラが抑制される。
【００５８】
本実施形態では、樹脂１３０の圧力差が生じ易くオイル１３２が析出し易い除変部１０５において、微細な凹凸１２２が形成されており、シボ１１２や微細な凹凸１１３がある側へのオイル１３２の析出が特に効果的に抑制される。その結果、シボ１１２や微細な凹凸１１３がより確実に転写されるため、艶ムラ防止効果を一層高めることができる。
【００５９】
また、除変部１０５では、一般部分１０３に比べて樹脂１３０が厚肉に充填され、冷却にともなう樹脂１３０の収縮量が一般部分１０３に比べて大きくなる。その結果、微細な凹凸１２２に対する樹脂１３０の食いつきが緩和されるため、離型不良が抑制される。
【００６０】
本実施形態では、除変部１０５に次いでオイル１３２が析出し易い隣接箇所１０６に微細な凹凸１２２が形成されており、これによって、シボ１１２や微細な凹凸１１３がある側へのオイル１３２の析出が効果的に抑制される。その結果、シボ１１２や微細な凹凸１１３がより確実に転写されるため、艶ムラ防止効果をより一層高めることができる。
【００６１】
微細な凹凸１２２は、第２成形面１２１において、除変部１０５やその隣接箇所１０６以外の他の場所にも設けられてもよい。しかしながら、本実施形態のようにオイル１３２が特に析出し易い箇所に範囲を限定して設けることによって、効果的にオイル１３２の析出を抑制しつつ、第２成形面１２１への微細な凹凸１２２の加工費を抑えることができる。
【００６２】
微細な凹凸１２２は、微細な凹凸１１３に含まれる凹部よりも深い凹部を含んでおり、オイル１３２が溜り易い。このため、微細な凹凸１２２へのオイル１３２の析出量を増やすことによって、シボ１１２や微細な凹凸１１３側へのオイル１３２の析出をより効果的に抑制できる。
【００６３】
＜実施例＞
図１６に示すように、本発明者らは、インストルメントパネル用の表皮材１０００を実施例として成形した。
【００６４】
表皮材１０００の形成材料は、ポリプロピレン（ＰＰ）であり、ゴムおよびオイルを２０％以上含む。本発明者らは、表皮材１０００のうち、艶ムラが生じ易い箇所１１００が上記実施形態に準じた構成となるよう、金型を設計した。
【００６５】
使用可能な金型としては、横型または縦型のものがあるが、本発明者らは、大きな成形品を扱い易い横型のものを用いて成形を行った。
【００６６】
また、金型は、一般的に２分割構造を有し、可動型であるコア、および固定型であるキャビティを有するが、金型からの樹脂成形品の取出し方の違いによって、２つの形態に分類される。
【００６７】
図１７および図１８に示すように、一方の形態によれば、キャビティＢ１０側ではなく、コアＡ１０側に樹脂成形品Ｃ１０を残した状態で金型が開けられる。このようなコア残しの取出し方では、アンダーカットＡ１１の処理のために、スライド構造Ｂ１１が用いられるが、その結果、パーティクルラインＢ１２が製品面に転写されてしまう。
【００６８】
これと異なり、図１９および図２０に示すように、もう一方の形態によれば、コアＡ２０側ではなく、キャビティＢ２０側に樹脂成形品Ｃ２０を残した状態で金型が開けられる。このようなキャビ残しの取出し方では、樹脂成形品Ｃ２０に厚肉部Ｃ２１を形成することによって、前述のようなアンダーカットＡ１１、ひいてはパーティクルラインＢ１２の発生が解消される。
【００６９】
また、樹脂成形品がキャビティＢ２０側に残るため、製品面に形成されたシボが型開きの際にむしられるシボカジリと称される現象が生じないという利点もある。それらの利点から、本発明者らは、キャビ残しの形態で型開きされる金型を用いて成形を行ったが、本発明はこれに限定されない。
【００７０】
キャビティＢ２０側に残った樹脂成形品Ｃ２０をそこから脱型させる際、コア残しの形態で用いられるようなエジェクターを製品面に適用することはできないが、例えば特許第５８９７７１４号明細書で開示された技術を応用して脱型することが可能である。
【００７１】
図２１に示すように、実際に成形された成形箇所１１００は、肉厚の相対的に小さい一般肉厚部１１０３、および肉厚の相対的に大きい厚肉部１１０４を有する。また、成形箇所１１００は、一般肉厚部１１０３から厚肉部１１０４へと肉厚が大きくなるように変化している肉厚除変部１１０５を有している。
【００７２】
一般肉厚部１１０３の肉厚ｔ１は、オイルの析出、成形性、および歩留りのバランスを考慮して、１．０ｍｍとした。また、同様の理由で、厚肉部１１０４の肉厚ｔ２は３．５ｍｍとした。一般肉厚部１１０３と厚肉部１１０４との離間方向における肉厚除変部１１０５の幅は、歩留り、およびオイルの析出抑制効果のバランスを考慮し、４０ｍｍとした。
【００７３】
皮シボ状のシボ１１１２が製品面１１１１に形成されており、また、シボ１１１２の表面に微細な凹凸１１１３が形成されている。微細な凹凸１１１３に含まれる凹部の深さは、１０μｍ程度とした。
【００７４】
一方、製品面１１１１と反対側の裏面には、微細な凹凸１１２２が形成されている。微細な凹凸１１２２は、一般肉厚部１１０３のうちの肉厚除変部１１０５に隣接する箇所１１０６、肉厚除変部１１０５、および厚肉部１１０４にわたって形成されている。一般肉厚部１１０３と肉厚除変部１１０５との隣接方向における隣接箇所１１０６の幅は、約３０ｍｍとした。
【００７５】
また、微細な凹凸１１２２に含まれる凹部の深さは、２０μｍ程度とした。この深さが深すぎると、微細な凹凸１１２２と金型とが食いつき、最悪の場合、型開きの際に製品面１１１１側が裏面側に引きずられて製品面１１１１に歪みが発生する虞があるが、例えば２０μｍ程度であれば、そのような離型不良を抑制できる。
【００７６】
以上のような構成で成形箇所１１００を成形したところ、実際に艶ムラが抑制された。また、微細な凹凸１１２２では、狙い通りオイルが析出し、裏面に微細な凹凸１１２２を形成することによって、製品面１１１１側へのオイルの析出が抑制されることが確認できた。
【００７７】
本発明は、上述した実施形態に限定されるものではなく、特許請求の範囲内で種々改変できる。
【００７８】
例えば、上記実施形態の拡大部１０４において、第２成形面１２１に微細な凹凸１２２を形成してもよく、このような構成によっても、製品面側へのオイルの析出が抑制される。また、拡大部１０４では、一般部分１０３に比べて樹脂１３０が厚肉に充填され、冷却にともなう樹脂１３０の収縮量が一般部分１０３に比べて大きくなる。その結果、微細な凹凸１２２に対する樹脂１３０の食いつきが緩和されるため、離型不良が抑制される。
【００７９】
また、本発明は、射出成形に限定されず、例えばプレス成形等の他の樹脂成形に適用可能である。
【符号の説明】
【００８０】
１００    金型（成形型）、
１００Ａ    比較例の金型、
１０１    空洞、
１０２    シール部材、
１１０    第１の型、
１１１    第１成形面、
１１２    シボ、
１１３    シボの表面に形成された微細な凹凸、
１１４    隙間、
１２０    第２の型、
１２０Ａ    比較例の第２の型、
１２１    第２成形面、
１２１Ａ    比較例の第２成形面、
１２２    第２成形面に形成された微細な凹凸、
１２３、１２４、１２５、１２６    圧力変化の測定位置、
１３０    樹脂、
１３１    ゴム、
１３２    オイル、
１３３    分子鎖、
１４０    樹脂成形品、
１４０Ａ    比較例の樹脂成形品、
１４１Ａ    なだらかな面、
１０００    樹脂成形品の実施例、
１１００    微細な凹凸が裏面に形成された箇所、
１１０３    一般肉厚部、
１１０４    厚肉部、
１１０５    肉厚除変部、
１１０６    肉厚除変部に隣接する箇所、
１１１１    製品面、
１１１２    シボ、
１１１３    シボの表面に形成された微細な凹凸、
１１２２    樹脂成形品の裏面に形成された微細な凹凸。
【図１】
2020121409.tif 000003
【図２】
2020121409.tif 000004
【図３】
2020121409.tif 000005
【図４】
2020121409.tif 000006
【図５】
2020121409.tif 000007
【図６】
2020121409.tif 000008
【図７】
2020121409.tif 000009
【図８】
2020121409.tif 000010
【図９】
2020121409.tif 000011
【図１０】
2020121409.tif 000012
【図１１】
2020121409.tif 000013
【図１２】
2020121409.tif 000014
【図１３】
2020121409.tif 000015
【図１４】
2020121409.tif 000016
【図１５】
2020121409.tif 000017
【図１６】
2020121409.tif 000018
【図１７】
2020121409.tif 000019
【図１８】
2020121409.tif 000020
【図１９】
2020121409.tif 000021
【図２０】
2020121409.tif 000022
【図２１】
2020121409.tif 000023